(57)【要約】      （修正有）【課題】複数のエプロン表面を用いることにより、例えば、長い時系列の説明を可能にしたり、異なる主人公の説明を可能にしたりするなど、エプロンを使った物語の説明にバリエーションを持たせることのできる使い勝手の良いエプロンを提供。【解決手段】エプロン本体と身体装着具２からなるエプロン１００であって、更に、エプロン本体の上下方向の中心線に対して左右に捲ることができる捲り用下地１２、１３、１４を備え、捲り用下地１２、１３、１４を捲ることによって、表側を切り替える。【選択図】図１
0003221822.tif 000002
【実用新案登録請求の範囲】
【請求項１】
エプロン本体と身体装着具からなるエプロンであって、
更に、前記エプロン本体の上下方向の中心線に対して左右に捲ることができる捲り用下地を備え、
前記捲り用下地を捲ることによって、表側を切り替えることができることを特徴とするエプロン。
【請求項２】
前記捲り用下地は、少なくとも２枚以上の生地とからなり、
前記生地は、右半身側と左半身側とがそれぞれ異なる前記生地に連なって縫い合わせてあることを特徴とする請求項１のエプロン。
【請求項３】
前記捲り用下地には、説明用装飾手段が設けられていることを特徴とする請求項１のエプロン。
【考案の詳細な説明】
【技術分野】
【０００１】
本考案は、エプロン本体と身体装着具からなるエプロン、詳しくは、エプロン本体の上下方向の中心線に対して左右に捲ることができる捲り用下地を備えたエプロンに関する。
【背景技術】
【０００２】
特許文献１と特許文献２にエプロンシアター（登録商標）の考案が開示されている。これらのエプロンシアター（登録商標）は舞台に見立てた胸あて式エプロンに物語の背景と面ファスナーを縫いつけ、演者がポケットから人形を取り出してエプロンに貼り付けながら物語を演じる人形劇である。エプロンシアター（登録商標）は特許文献１の考案者である中谷真弓が考案し、昭和５４年に保育雑誌に発表して以来、保育現場を中心に小学校や図書館のお話し会などを通じて普及した。舞台や人形は布で手作りされる場合が多く、持ち運びに便利である。演者と子どもたちが間近で対面し、互いにやり取りしながら、表情や身振りを加えて演ずるので、一体的な語りができる。子どもたちに親しみ易いエプロンを用いるので、また、子どもたちはエプロンのポケットから出てくるものに期待感をいだくので、子どもたちに人気がある。エプロンシアター（登録商標）は子どもだけでなく、高齢者にも演じられている。
【０００３】
エプロンシアター（登録商標）は多くの物語用のエプロンや本が販売されている。また、インターネットには、多数の動画が公開されている。たとえば、非特許文献１にはエプロンシアター（登録商標）を使用して園児に歯科衛生指導をする動画が公開されている。
【先行技術文献】
【特許文献】
【０００４】
【特許文献１】実開昭５８−５６００７号公報
【特許文献２】実用新案登録第３０２５７４５号公報
【非特許文献】
【０００５】
【非特許文献１】歯科衛生指導〜エプロンシアター（登録商標）、［online］、エプロンシアター（登録商標）のサンプル動画、［平成310年３月２５日検索］、インターネット〈https://www.youtube.com/watch?v=1OklomVjLoY〉
【考案の概要】
【考案が解決しようとする課題】
【０００６】
従来のエプロンシアター（登録商標）は、エプロンの一つの表面を使った説明だけになるため、基本的には一場面だけの描写になってしまうことから、物語の展開がどうしても限られてしまっていた。
【０００７】
例えば、口腔管理の大切さを説明しようとする場合でも、管理方法は乳幼児期や高齢者など世代によっても変わってくる。また、歯の衛生管理が悪いと高齢者になって永久歯が全てなくなることを説明したいことがある。このような長い時系列の説明を一つのエプロンで行うことは従来のエプロンでは難しい。
【０００８】
本考案は、複数のエプロン表面を用いることにより、例えば、長い時系列の説明を可能にしたり、異なる主人公の説明を可能にしたりするなど、エプロンを使った物語の説明にバリエーションを持たせることのできる使い勝手の良いエプロンを提供することを目的とする。
【課題を解決するための手段】
【０００９】
上記課題を解決するため、本考案の一つの態様に係るエプロンは、エプロン本体と身体装着具からなるエプロンであって、更に、前記エプロン本体の上下方向の中心線に対して左右に捲ることができる捲り用下地を備え、前記捲り用下地を捲ることによって、表側を切り替えることができることを特徴とする。
【００１０】
捲り用下地は演ずる場面の背景となり、また多くの場合、捲り用下地にはポケット、刺しゅう、着脱具などからなる説明用装飾手段が設けられる。この下地を捲ることで、エプロンの表側となって露出する下地が他の下地に変わり、背景や説明用装飾手段が切り替わって、全く異なる場面を描写することができる。また、説明用装飾手段を着脱する手間を省いて、即座に異なる場面に切り替えることもできる。
【００１１】
また、本考案のエプロンにおいては、前記捲り用下地は、少なくとも２枚以上の生地とからなり、前記生地は、右半身側と左半身側とがそれぞれ異なる前記生地に連なって縫い合わせてあることが好ましい。
【００１２】
これにより、エプロンの中央の縫い目を無くすことができ、見た目のよいエプロンとなる。とくに、顔の装飾を行っているような場合に、縫い目があると顔が変形して見えたりすることがあるが、中央の縫い目をなくすことで、このような変形を防ぐことができる。また、縫い目に跨る様な着脱式の立体的な装飾を行うような場合に、縫い目の段差で着脱し難いことがあるが、縫い目をなくすことでこのような問題も生じない。また、左右を同じ生地にすることができるので左右の色や模様が連続となる。
【００１３】
また、本考案のエプロンにおいては、前記捲り用下地には、説明用装飾手段が設けられていることが好ましい。
この説明用装飾手段は、エプロンを使ったエプロンシアター（登録商標）を行う場合の飾りや小道具などであり、具体的な物としては、ポケット、刺しゅう、着脱具などである。これにより、物語の説明にバリエーションを持たせることができる。
【図面の簡単な説明】
【００１４】
【図１】Ａは本考案の第１実施形態に係るエプロン本体の基本構成を示す分解図であり、ＢはＡの組み立て方法を示す図である。
【図２】Ａは説明用装飾手段を省いた第１実施形態に係るエプロンの第１画面の正面図であり、Ｂは一部の説明用装飾手段を装着した正面図である。
【図３】Ａは第２実施形態に係るエプロンの基本構成を示す図であり、Ｂは第３実施形態に係るエプロンの基本構成を示す撮像である。
【図４】本考案の実施例を示す図である。
【考案を実施するための形態】
【００１５】
以下、実施形態及び図面を参照にして本考案を実施するための形態を説明するが、以下に示す実施形態は、本考案をここに記載したものに限定することを意図するものではなく、本考案は実用新案登録請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００１６】
［第１実施形態］
図１〜図２を用いて第１実施形態のエプロン１００を説明する。第１実施形態のエプロン１００は子どもに口腔ケアの大切さを伝えるためのエプロンシアター（登録商標）であり、下地の捲りによって３つの場面を切り替えるものである。図１Ａはエプロン１００の基本構成を示す分解図であり、後述する説明用装飾手段１６を省いている。図１Ｂは図１Ａの組み立て方法を示す図である。図２Ａはエプロン本体１の第１画面の正面図である。図２Ｂは一部の説明用装飾手段１６を装着した正面図である。
【００１７】
エプロン１００は、エプロン本体１と身体装着具２とからなる。エプロン本体１は、裏地１１、第１捲り用下地１２、第２捲り用下地１３、第３捲り用下地１４、捲り保持手段１５と説明用装飾手段１６とからなる。
【００１８】
この中で、捲り保持手段１５は、３対のフック部を有する雄の面ファスナー１５１とループ部を有する雌の面ファスナー１５２と、４個の磁石１５３とからなる。なお、捲り保持手段１５は、面ファスナーや磁石に限定されるものではなく、ボタンやスナップボタンなど、捲った捲り用下地を保持できるものであればよい。
【００１９】
説明用装飾手段１６は、エプロン１を使ったエプロンシアター（登録商標）を行う場合の飾りや小道具などであり、本実施形態では口腔ケアの大切さを説明するために必要な装飾である。具体的な物としては、ポケット、刺しゅう、着脱具などからなり、場面の下地である第１捲り用下地１２、第２捲り用下地１３、第３捲り用下地１４に設けられる。
【００２０】
また、身体装着具２は、人体にエプロン本体１を装着するためのものであり、左右一対の首紐２１と左右一対の腰紐２２とからなる。なお、身体装着具２は、首紐２１や腰紐２２に限定されるものではなく、肩に引っ掛けるフックのようなものや、バックルのような留め具を用いたものでも構わない。
【００２１】
エプロン本体１における裏地１１、第１捲り用下地１２、第２捲り用下地１３と第３捲り用下地１４は、図１Ａに示すように、下方の腹部１１ａが長方形で上方の胸部１１ｂが台形の左右対称の六角形の布からなり、何れも同一形状となっている。なお、エプロン本体１のこれらの生地の素材は、布でなくてもゴムのような素材でも構わない。また、生地の色は、同色である必要はなく互いに異なる色同士のものでもよく、また、互いに異なる素材からなるものでも構わない。
【００２２】
また、裏地１１の胸部１１ｂの上方には身体装着具２が縫い付けられており、具体的には、左右に分かれて一対の首紐２１が縫い付けられており、腹部１１ａの上方には左右に分かれて一対の腰紐２２が縫い付けられている。
【００２３】
また、第１捲り用下地１２、第２捲り用下地１３と第３捲り用下地１４のそれぞれの胸部の上方には捲り保持手段１５が設けられており、具体的には左右に分かれて一対の雄の面ファスナー１５１と雌の面ファスナー１５２が縫い付けられている。
【００２４】
そして、図２Ａに示すように、第１捲り用下地１２の右半分の縁（図１Ａ破線で囲った１２Ｒ）と第２捲り用下地１３の左半分の縁（図１Ａ破線で囲った１３Ｌ）が、互いに裏側を向き合わせて縫い合わされている。また、第２捲り用下地１３の右半分の縁（図１Ａ破線で囲った１３Ｒ）と第３捲り用下地１４の左半分の縁（図１Ａ破線で囲った１４Ｌ）が、互いに裏側を向き合わせて縫い合わされている。
【００２５】
また、裏地１１の左半分の表側の縁（図１Ａ破線で囲った１１Ｌ）と第１捲り用下地１２の左半分の裏側の縁（図１Ａ破線で囲った１２Ｌ）が、互いに向き合って縫い合わされている。また、裏地１１の右半分の表側の縁（図１Ａ破線で囲った１１Ｒ）と第３捲り用下地１４の右半分の裏側の縁（図１Ａ破線で囲った１４Ｒ）が、互いに向き合って縫い合わされる。
【００２６】
この結果、図１Ｂに示すように、第１捲り用下地１２、第２捲り用下地１３、第３捲り用下地１４が半分に折れた状態で連なっているようになる。なお、図１Ｂの組み立て方法を示す平面図は、裏地１１、第１捲り用下地１２、第２捲り用下地１３と第３捲り用下地１４を、縫い合わせ前後の状態を示しており、また、腹部の上方の両端を部分断面として示している。そして、この部分断面と図１Ａに示しているが、それぞれ生地の縫い合わせの時に、腹部の上方の両端近傍には、捲り保持手段１５である磁石１５３が縫い込められている。
【００２７】
このような構成により、エプロン本体１は、第１捲り用下地１２と第２捲り用下地１３の縫い合わせ部分や、第２捲り用下地１３と第３捲り用下地１４の縫い合わせ部分をエプロン本体１の上下方向の中心線（図２のＣＬ）で捲ることができるようになっている。
【００２８】
そして、この捲りによって各下地は、雄の面ファスナー１５１と雌の面ファスナー１５２の係合や、磁石１５３のＳ極とＮ極の磁力によって保持することができる。そして、この捲り操作によって、エプロン１００の露出する表側を、第１捲り用下地１２、第２捲り用下地１３、第３捲り用下地１４の３つの下地の表面に切り替えることができる。
【００２９】
図２Ｂはこの切り替えを示す図であり、一部の説明用装飾手段１６が備えられている。第１場面の第１捲り用下地１２は、まだ歯が生えていない赤ちゃんの頃を説明するため場面である。第２場面の第２捲り用下地１３は、乳歯が永久歯に生え変わる子どもの場面である。第３場面の第３捲り用下地１４は、歯の管理が悪いと永久歯が無くなる高齢者の場面である。
【００３０】
なお、図２Ｂには説明用装飾手段１６として、口腔に並んだ歯、虫歯、歯ブラシなどの下地に着脱可能な着脱具を追加することができる。また、例えば、第１捲り用下地１２の表側に別の布を縫い合わせ、この布の部分を捲ることで異なる装飾が現れるような仕掛けも説明用装飾手段１６に含まれる。例えば、図２Ｂの第２画面において子どもの口の部分（の布）を捲ると撮像には写っていない口の中が現れる仕掛けや、第３画面において高齢者の口の部分（の布）を捲ると撮像には写っていない口の中が現れる仕掛けである。
【００３１】
上述のように、本実施形態のエプロン１００は、下地の面を複数備え、捲りの操作で露出する表側の下地を他の下地に切り替えることができるので、背景を含めた説明用装飾手段１６の場面を即座に描写することができる。また、説明用装飾手段１６を着脱する手間を省いて、即座に異なる場面に切り替えることもできる。なお、エプロン１００は、エプロン本体１の上下方向の中心線（図２のＣＬ）に対して左右に捲ることができる構成であるため、捲った後もエプロン本体１の形状が変わらない。
【００３２】
また、本実施形態のエプロン１００は、各捲り用下地の右半身側と左半身側とがそれぞれ異なる捲り用下地に連なって縫い合わせてあるため、第１捲り用下地１２、第２捲り用下地１３、第３捲り用下地１４のそれぞれの下地の面が左右に分割されることなく同一の生地で１場面の背景となっている。このために、左右に捲る構成であっても、左右を同じ生地にすることができるので左右の色や模様が連続となる。また、図２Ａの縫い目Ｅに示すように、下地の縁で縫い合わせているので、折り目の部分には縫い目を無くすことができてすっきりする。そして、折り目の部分に縫い目がないため、図２Ｂの第２場面や第３場面のように顔の装飾があるような場合に、顔の変形を防ぐことができる。
【００３３】
［第２実施形態］
次に、図３Ａを用いて、第２実施形態のエプロン１００Ａの要部の構成を説明する。第２実施形態のエプロン１００Ａにおいては、第１実施形態のエプロン１００と構成が異なる同一名の部分については参照符号に添え字「Ａ」を付す。
【００３４】
図３Ａに示すように、第２実施形態のエプロン１００Ａは裏地と下地を兼用した裏地／下地１７と、両面が露出面になりうる第１捲り用下地１２Ａが中央の折り目で縫い合わされている。このような構成であってもエプロン本体の上下方区の中心線に対して左右を捲ることができ、捲り用下地を捲ることで、３画面を捲りで切り替えることができる。また、第１実施形態のエプロン１００と比較して、生地が少ないので安価で軽量である。
【００３５】
［第３実施形態］
次に、図３Ｂを用いて、第３実施形態のエプロン１００Ｂの要部の構成を説明する。第３実施形態のエプロン１００Ｂにおいては、第１実施形態のエプロン１００と構成が異なる同一名の部分については参照符号に添え字「Ｂ」を付す。
【００３６】
図３Ｂに示すように、第２実施形態のエプロン１００Ａの裏地／下地１７を左右半分に分けた左裏地／左下地１８と右裏地／右下地１９と、第１捲り用下地１２Ａを左右半分に分けた第１捲り用下地１２Ｂと第２捲り用下地１３Ｂを折り目部分でまとめて縫い合わせたものである。このような構成であってもエプロン本体の上下方区の中心線に対して左右を捲ることができ、捲り用下地を捲ることで、３画面を捲りで切り替えることができる。また、第２実施形態のエプロン１００Ａと比較して、幅が狭い生地でもエプロン１００Ｂを制作することができる。
【００３７】
このように、本考案のエプロンは、エプロン本体と身体装着具からなるエプロンであって、更に、エプロン本体の上下方向の中心線（図２におけるＣＬ）に対して左右に捲ることができる捲り用下地を備え、この捲り用下地を捲ることによって、表側を切り替えることができるようになっている。この構成により、本考案のエプロンは、エプロンでエプロンシアター（登録商標）のように使い方を行う際に、全く異なる場面描写を簡単に行うことができる。
【００３８】
また、本考案のエプロンにおける捲り用下地は、実施形態１にも示すように、少なくとも２枚以上の生地とからなり、この生地が、右半身側と左半身側とがそれぞれ異なる生地に連なって縫い合わせてある。この構成により、本考案のエプロンは、捲り用下地を捲った際、エプロン本体の上下方向の中心線（図２におけるＣＬ）に縫い目が現れない。つまり、エプロンの表側が一枚の捲り用下地で構成される。従って、見た目に優れている。
【００３９】
なお、実施形態１においては、図２Ｂに示すように、捲り用下地を３枚用いて表側を３つの画面で構成していたが、捲り用下地を４枚用いて表側を４つの画面で構成しても構わない。また、より多くの捲り用下地を用いてより多くの画面を構成しても構わない。本考案のエプロンは、少なくとも捲り用下地を２枚用いて、表側を２つの画面で構成することができれば、従来のような表側が１つの画面のエプロンに比べ、多様な表現を行うことができる。
【００４０】
また、本考案のエプロンは、実施形態１〜３のような構成の他に、例えば、４枚の生地を重ねて、左半分だけを重ねて縫い合わせおき、右半分側を捲っていく構成を採用することもできる。
【００４１】
［実施例］
図４には、第１実施形態で説明したエプロン１００を用いたエプロンシアター（登録商標）の例を示している。なお、本考案者は、このエプロン１００について、捲り用下地を捲ることによって表側を切り替えて人形劇を行えることから、エプロンエホン（絵本）と呼んでいる。
【００４２】
このエプロン１００による物語は、図２Ｂの第１場面にも示した状態から始まる（Ｓ１）。第１捲り用下地１２には、ポケット１６ａからなる説明用装飾手段１６が設けられている。
そして、ポケット１６ａの中には、第１捲り用下地１２と同じ形状で、体内の様子を表す刺しゅうが施された装飾生地１６ｂが収納されており、この装飾生地１６ｂを取り出して貼り付ける（Ｓ２）。装飾生地１６ｂには、お腹の中の赤ちゃんを表した刺しゅう１６ｃが施されており、生まれる前の説明を行う。
【００４３】
そして、装飾生地１６ｂをポケット１６ａに戻し、裏地１１の裏側に作ってあるポケット（図示せず）から赤ちゃん人形１６ｄを取り出し（Ｓ３）、歯が生えていない赤ちゃんに関する口腔ケアの話を行う。
次に、第１捲り用下地１２を捲り（Ｓ４）、第２捲り用下地１３からなる第２場面を用いた説明を行う（Ｓ５）。
【００４４】
第２捲り用下地１３には、子どもの刺しゅう１６ｅが施されている。子どもの刺しゅう１６ｅの口は布が捲れるようになっており、この布を捲ることで子どもの口内１６ｆが現れる（Ｓ６）。そして、子どもに関する口腔ケアの話を行う。
次に、第２捲り用下地１３を捲り（Ｓ７）、第３捲り用下地１４からなる第３場面を用いて高齢者の口腔ケアの話を行う（Ｓ８）
【００４５】
このように、本考案のエプロン１００を用いてエプロンエホンのようなことを行えば、長い時系列の説明を簡単に行うことができ、また主人公を簡単に変えることができ、物語のバリエーションを豊かにすることが可能となる。
【符号の説明】
【００４６】
１００：エプロン
１：エプロン本体
２：身体装着具
１１：裏地
１２、１２Ａ、１２Ｂ：第１捲り用下地
１３、１３Ｂ：第２捲り用下地
１４：第３捲り用下地
１５：捲り保持手段
１６：説明用装飾手段
【図１】
0003221822.tif 000003
【図２】
0003221822.tif 000004
【図３】
0003221822.tif 000005
【図４】
0003221822.tif 000006